(57)【要約】  本発明は、Ｈｉｇｈ  Ｒａｔｅ  Ｐａｃｋｅｔ  Ｄａｔａネットワークにおいて受け渡される１ｘページングを拒否するための方法を開示する。ＳＣ／ＭＭがＰＣＦに設けられたＨＲＰＤの場合には、セカンダリカラーコードメカニズムを方法に適用し、ＭＳ／ＡＴが登録されているＡＮが、携帯電話のページングに共に使用される隣接するＡＮにＡ１３ページング要求メッセージを送信すると共に、拒否フローを改良するためにいくつかの新しいメッセージを追加する。本発明によれば、複数のＡＮ境界にＭＳ／ＡＴが存在する場合に、アイドル又は休止状態のＭＳ／ＡＴはＨＲＰＤの複数のＡＮ境界領域において１ｘネットワークからのサービスページングを効果的に受け付けることができると共に１ｘサービスをユーザーの選択に応じて拒否することができ、デュアルネットワーク運用性が向上する。
2010516127.tif 000002
【特許請求の範囲】
【請求項１】
インターワーキングソリューションがＨｉｇｈ  Ｒａｔｅ  Ｐａｃｋｅｔ  Ｄａｔａネットワークシステムのパケット制御機能モジュールに適用される場合に、Ｈｉｇｈ  Ｒａｔｅ  Ｐａｃｋｅｔ  Ｄａｔａネットワークにおいて受け渡される１ｘページングを拒否するための方法であって、
ａ．１ｘネットワークのスイッチがページング要求メッセージを前記Ｈｉｇｈ  Ｒａｔｅ  Ｐａｃｋｅｔ  Ｄａｔａネットワークシステムのソースパケット制御機能モジュール及び前記Ｈｉｇｈ  Ｒａｔｅ  Ｐａｃｋｅｔ  Ｄａｔａネットワークシステムのソースアクセスネットワークのページングエリア内のデュアルモード端末がアクセスし得る１以上の１ｘ通信基地局に送信するステップと、
ｂ．前記ソースパケット制御機能モジュールがＡ１４−１ｘサービスページングメッセージを前記ソースアクセスネットワークに送信し、前記ソースアクセスネットワークから返信されたＡ１４−１ｘサービスページング確認応答メッセージを受信するステップと、
ｃ．前記ソースパケット制御機能モジュールがＡ１３ページング要求メッセージをターゲットパケット制御機能モジュールに送信し、前記ターゲットパケット制御機能モジュールから返信されたＡ１３ページング応答メッセージを受信するステップと、
ｄ．前記ターゲットパケット制御機能モジュールがＡ１４−１ｘサービスページングメッセージをターゲットアクセスネットワークに送信し、前記ターゲットアクセスネットワークから返信された確認応答メッセージを受信するステップと、
ｅ．前記ソースアクセスネットワークと前記ターゲットアクセスネットワークが前記デュアルモード端末にページングメッセージをそれぞれ送信するステップと、
ｆ．前記デュアルモード端末がリリースオーダーメッセージを前記ターゲットアクセスネットワークに送信し、前記ターゲットアクセスネットワークがＡ１４−１ｘサービス転送メッセージによって前記リリースオーダーメッセージを前記ターゲットパケット制御機能モジュールに送信し、前記ターゲットパケット制御機能モジュールが前記リリースオーダーを含むＡ１３−１ｘ無線インタフェース信号メッセージを前記ソースパケット制御機能モジュールに送信し、前記ソースパケット制御機能モジュールから返信された確認応答メッセージを受信するステップと、
ｇ．前記ソースパケット制御機能モジュールが、前記１ｘサービスを拒否することを示す拒否メッセージを前記スイッチに送信するステップと、
を含むことを特徴とする方法。
【請求項２】
請求項１において、前記ステップｅが、前記ソースアクセスネットワークの前記ページングメッセージが前記デュアルモード端末に到達した場合に、前記デュアルモード端末が前記リリースオーダーを含むＡ１４−１ｘサービス転送メッセージを前記ソースパケット制御機能モジュールに送信し、前記ステップｇに移行することをさらに含むことを特徴とする方法。
【請求項３】
請求項１において、
前記ソースパケット制御機能モジュールが、前記Ｈｉｇｈ  Ｒａｔｅ  Ｐａｃｋｅｔ  Ｄａｔａネットワークシステムにおいて前記デュアルモード端末によって登録されたパケット制御機能モジュールであり、前記登録が前記パケット制御機能モジュールに接続された前記スイッチにおいて更新され、
前記ソースアクセスネットワークが、前記ソースパケット制御機能モジュールに対応するアクセスネットワークであり、
前記ターゲットパケット制御機能モジュールが、前記ソースパケット制御機能モジュールの境界の他のパケット制御機能モジュールであり、
前記ターゲットアクセスネットワークが、前記ターゲットパケット制御機能モジュールに対応するアクセスネットワークであることを特徴とする方法。
【請求項４】
請求項１において、
前記ステップｃにおいて、前記Ａ１３ページング要求メッセージが、前記ソースパケット制御機能モジュールが前記ターゲットパケット制御機能モジュールに前記デュアルモード端末のページングを支援することを要求する機能を満たす他のメッセージであり、前記Ａ１３ページング応答メッセージが他の対応するメッセージであることを特徴とする方法。
【請求項５】
請求項１において、
前記ステップｃにおいて、前記Ａ１３ページング要求メッセージが、前記ターゲットアクセスネットワークに必要なＨｉｇｈ  Ｒａｔｅ  Ｐａｃｋｅｔ  Ｄａｔａネットワーク端末の関連セッション情報を含むことを特徴とする方法。
【請求項６】
請求項５において、
前記ステップｃにおいて、前記Ａ１３ページング要求メッセージが、前記ソースアクセスネットワークのページング送信に関する時間情報をさらに含むことを特徴とする方法。
【請求項７】
請求項１において、
前記ステップｆにおける前記Ａ１３−１ｘ無線インタフェース信号メッセージが、前記ターゲットパケット制御機能モジュールが対応する１ｘ無線インタフェースメッセージを前記ソースパケット制御機能モジュールに転送する機能を満たす他のメッセージであり、前記Ａ１３−１ｘ無線インタフェース信号確認応答メッセージが他の対応するメッセージであることを特徴とする方法。
【請求項８】
請求項１〜６のいずれか１項において、
前記ターゲットパケット制御機能モジュールが、前記Ｈｉｇｈ  Ｒａｔｅ  Ｐａｃｋｅｔ  Ｄａｔａシステムの１以上のパケット制御機能モジュールであることを特徴とする方法。
【請求項９】
インターワーキングソリューションが１ｘ通信基地局に適用される場合に、Ｈｉｇｈ  Ｒａｔｅ  Ｐａｃｋｅｔ  Ｄａｔａネットワークにおいて受け渡される１ｘページングを拒否するための方法であって、
Ａ：スイッチがページング要求メッセージを前記インターワーキングソリューションが適用された前記１ｘ通信基地局に送信するステップと、
Ｂ：前記１ｘ通信基地局が１ｘ通常ページングメッセージでカプセル化されたＡ２１−１ｘ無線インタフェース信号メッセージをソースパケット制御機能モジュールに送信し、前記ソースパケット制御機能モジュールから返信された確認応答メッセージを受信するステップと、
Ｃ．前記ソースパケット制御機能モジュールがＡ１４−１ｘサービスページングメッセージをソースアクセスネットワークに送信し、前記ソースアクセスネットワークから返信された確認応答メッセージを受信するステップと、
Ｄ．前記ソースパケット制御機能モジュールがＡ１３ページング要求メッセージをターゲットパケット制御機能モジュールに送信し、前記ターゲットパケット制御機能モジュールから返信されたＡ１３ページング応答メッセージを受信するステップと、
Ｅ．前記ターゲットパケット制御機能モジュールがＡ１４−１ｘサービスページングメッセージをターゲットアクセスネットワークに送信し、前記ターゲットアクセスネットワークから返信された確認応答メッセージを受信するステップと、
Ｆ．前記ソースアクセスネットワークと前記ターゲットアクセスネットワークがデュアルモード端末に通常ページングメッセージをそれぞれ送信し、前記デュアルモード端末から返信された確認応答メッセージを受信するステップと、
Ｇ．前記デュアルモード端末がリリースオーダーを前記ターゲットアクセスネットワークに送信し、前記ターゲットアクセスネットワークがＡ１４−１ｘサービス転送メッセージによって前記リリースオーダーを前記ターゲットパケット制御機能モジュールに転送するステップと、
Ｈ：前記ターゲットパケット制御機能モジュールが前記リリースオーダーを含むＡ１３−１ｘ無線インタフェース信号メッセージを前記ソースパケット制御機能モジュールに送信し、前記ソースパケット制御機能モジュールから返信された確認応答メッセージを受信するステップと、
Ｉ：前記ソースパケット制御機能モジュールが前記リリースオーダーを含むＡ２１−１ｘ無線インタフェース信号メッセージを前記１ｘ通信基地局に送信し、前記１ｘ通信基地局から返信された確認応答メッセージを受信するステップと、
Ｊ．前記１ｘ通信基地局が、前記１ｘサービスを拒否することを示す拒否メッセージを前記スイッチに送信するステップと、
を含むことを特徴とする方法。
【請求項１０】
請求項９において、
前記ステップＦが、前記ソースアクセスネットワークが前記確認応答メッセージを受信した場合に、前記デュアルモード端末がリリースオーダーを前記ソースアクセスネットワークに送信し、前記ソースアクセスネットワークが前記リリースオーダーを含むＡ１４−１ｘサービス転送メッセージを前記ソースパケット制御機能モジュールに転送し、前記ステップＩに移行することをさらに含むことを特徴とする方法。
【請求項１１】
請求項９において、
前記ステップＤにおける前記Ａ１３ページング要求メッセージが、前記ソースパケット制御機能モジュールが前記ターゲットパケット制御機能モジュールに前記デュアルモード端末のページングを支援することを要求する機能を満たす他のメッセージであり、前記Ａ１３ページング応答メッセージが他の対応するメッセージであることを特徴とする方法。
【請求項１２】
請求項９において、
前記ステップHにおける前記Ａ１３−１ｘ無線インタフェース信号メッセージが、前記ターゲットパケット制御機能モジュールが対応する１ｘ無線インタフェースメッセージを前記ソースパケット制御機能モジュールに転送する機能を満たす他のメッセージであり、前記Ａ１３−１ｘ無線インタフェース信号確認応答メッセージが他の対応するメッセージであることを特徴とする方法。
【請求項１３】
請求項９〜１２のいずれか１項において、
前記ターゲットパケット制御機能モジュールが、前記Ｈｉｇｈ  Ｒａｔｅ  Ｐａｃｋｅｔ  Ｄａｔａシステムの１以上のパケット制御機能モジュールであることを特徴とする方法。
【発明の詳細な説明】
【技術分野】
【０００１】
本発明は、無線通信分野におけるＨＲＰＤ（Ｈｉｇｈ  Ｒａｔｅ  Ｐａｃｋｅｔ  Ｄａｔａ（高速パケットデータ））ネットワークとｃｄｍａ２０００  １ｘ（単一搬送波）ネットワークとの間の相互運用性に関する。特に、本発明は、ＳＣ／ＭＭ（Ｓｅｓｓｉｏｎ  Ｃｏｎｔｒｏｌ／Ｍｏｂｉｌｉｔｙ  Ｍａｎａｇｅｍｅｎｔ（セッション制御／移動管理））がＰＣＦ（Ｐａｃｋｅｔ  Ｃｏｎｔｒｏｌ  Ｆｕｎｃｔｉｏｎ  ｍｏｄｕｌｅ（パケット制御機能モジュール））に設けられている場合に、ＨＲＰＤネットワークとｃｄｍａ２０００  １ｘネットワークのオーバーラップ領域において、ＨＲＰＤ無線インタフェースを介した１ｘ着呼をＭＳ／ＡＴが拒否する方法に関する。すなわち、ユーザーが１ｘサービスを拒否することを決定した場合に、ＨＲＰＤシステムにおいて拒否メッセージを受け渡す方法に関する。
【背景技術】
【０００２】
現在、ＨＲＰＤネットワークと１ｘネットワークの相互運用性の確保、特に、ユーザーが１ｘサービスを拒否することを選択した場合にＨＲＰＤシステムにおいて１ｘネットワークからの移動体終了（ｍｏｂｉｌｅ  ｔｅｒｍｉｎａｔｅｄ）ページングを受け渡すために以下の方法が使用されている。
【０００３】
図１に示すように、ＩＷＳ（Ｉｎｔｅｒｗｏｒｋｉｎｇ  Ｓｏｌｕｔｉｏｎ（インターワーキングソリューション））がＰＣＦ内に設けられている場合には、以下の呼出フローが行われる。
１０１：ＭＳＣ（Ｍｏｂｉｌｅ  Ｓｗｉｔｃｈｉｎｇ  Ｃｅｎｔｅｒ（移動通信制御局））は、サービスエリア内でＭＳ／ＡＴに対する着呼があったことを判断する。ＭＳＣはページング要求メッセージをＩＷＳ−ＰＣＦ及びＨＲＰＤ  ＰＣＦのページングエリア内のＭＳ／ＡＴがアクセスし得る１以上の１ｘＢＳに送信する。ＭＳＣは、送信した各ページング要求メッセージについてタイマＴ３１１３を起動する。ページング要求メッセージは、１ｘＢＳがＭＳ／ＡＴからページング応答メッセージを受信する準備を行うことが必要であることを示すＶＰＩ（Ｖｉｒｔｕａｌ  Ｐａｇｅ  Ｉｎｄｉｃａｔｏｒ（仮想ページインジケータ））を含むことができる。
１０２：ＨＲＰＤ  ＰＣＦはＡ１４−１ｘサービスページングメッセージをＨＲＰＤ  ＡＮに送信し、タイマＴ１ｘｓｐ１４を起動する。Ａ１４−１ｘサービスページングメッセージは、無線送信される通常ページングメッセージ（ｇｅｎｅｒａｌ  ｐａｇｅ  ｍｅｓｓａｇｅ）を含む。
１０３：ＨＲＰＤ  ＡＮはＡ１４−１ｘサービスページングＡｃｋメッセージをＰＣＦに送信し、タイマＴ１ｘｓｐ１４を停止する。
１０４：ＨＲＰＤ  ＡＮは通常ページングメッセージをＭＳ／ＡＴに送信する。
１０５：ユーザーは着呼を拒否することを決定し、リリースオーダーをＨＲＰＤ  ＡＮに送信する。
１０６：ＨＲＰＤ  ＡＮは、ＭＳ／ＡＴから受信したリリースオーダーリリースオーダーを含むＡ１４−１ｘサービス転送メッセージをＨＲＰＤ  ＰＣＦに送信する。
１０７：ＩＷＳ−ＰＣＦは、ＭＳ／ＡＴが着呼を拒否したことを示す拒否メッセージをＭＳＣに送信する。ＭＳＣは、このＭＳ／ＡＴについて全てのタイマＴ３１１３を停止する。
【０００４】
図２に示すように、ＩＷＳが１ｘＢＳ内に設けられている場合には、以下の呼出フローが行われる。
２０１：ＭＳＣは、サービスエリア内でＭＳ／ＡＴに対する着呼があったことを判断する。ＭＳＣはページング要求メッセージをＩＷＳ−１ｘＢＳに送信する。ＭＳＣは、ページング要求メッセージ内に発呼者情報を必要に応じて組み込むことができる。ＭＳＣは、送信した各ページング要求メッセージについてタイマＴ３１１３を起動する。なお、ページング要求メッセージは、１ｘＢＳがＭＳ／ＡＴからページング応答メッセージを受信する準備を行うことが必要であることを示すＶＰＩ（Ｖｉｒｔｕａｌ  Ｐａｇｅ  Ｉｎｄｉｃａｔｏｒ）を含むことができる。
２０２：ＩＷＳ−１ｘＢＳは１ｘ通常ページングメッセージを作成し、Ａ２１−１ｘ無線インタフェース信号メッセージとしてＨＲＰＤ  ＰＣＦに送信する。次に、ＩＷＳ−１ｘＢＳはタイマＴａｃｋ２１を起動する。ページング要求メッセージが発呼者情報を含む場合には、ＩＷＳ−１ｘＢＳは発呼者情報を含む特徴通知（ｆｅａｔｕｒｅ  ｎｏｔｉｆｉｃａｔｉｏｎ）メッセージをメッセージに組み込む。ＨＲＰＤにＭＳ／ＡＴのページングを要求する前に、ＩＷＳ−１ｘＢＳは１ｘサービスをサポートするリソースが利用可能であることを確認する。
２０３：ＨＲＰＤ  ＰＣＦは、Ａ２１インタフェース確認応答メッセージ（Ａ２１−Ａｃｋ）をＩＷＳ−１ｘＢＳに送信する。ＩＷＳ−１ｘＢＳはタイマＴａｃｋ−２１を停止する。
２０４：ＨＲＰＤ  ＰＣＦはＡ１４−１ｘサービスページングメッセージをＨＲＰＤ  ＡＮに送信し、タイマＴ１ｘｓｐ１４を起動する。Ａ１４−１ｘサービスページングメッセージは、無線送信される通常ページングメッセージを含む。
２０５：ＨＲＰＤ  ＡＮはＡ１４−１ｘサービスページング確認応答メッセージをＨＲＰＤ  ＰＣＦに送信する。ＨＲＰＤ  ＰＣＦはタイマＴ１ｘｓｐ１４を停止する。
２０６：ＨＲＰＤ  ＡＮは通常ページングメッセージをＭＳ／ＡＴに送信する。ステップ２０１においてページング要求メッセージが発呼者情報を含む場合には、ＨＲＰＤ  ＡＮはＨＲＰＤメッセージ内に発呼者情報を含むＦＮ（Ｆｅａｔｕｒｅ  Ｎｏｔｉｆｉｃａｔｉｏｎ）メッセージを組み込む。
２０７：ＭＳ／ＡＴは、１ｘページングメッセージを受信したことを通知する。
２０８：ＭＳ／ＡＴは１ｘサービスを拒否することを決定し、リリースオーダーをＨＲＰＤ  ＡＮに送信する。
２０９：ＨＲＰＤ  ＡＮは、Ａ１４−１ｘサービス転送メッセージとしてＭＳ／ＡＴからのリリースオーダーをＨＲＰＤ  ＰＣＦに送信する。
２１０：ＨＲＰＤ  ＰＣＦはリリースオーダーを含むＡ２１−１ｘ無線インタフェース信号メッセージを１ｘＢＳに送信し、タイマＴａｃｋ−２１を起動する。
２１１：１ｘＢＳはＡ２１−ＡｃｋメッセージをＨＲＰＤ  ＰＣＦに送信する。
２１２：１ｘＢＳは、ＭＳ／ＡＴが１ｘ音声通話を拒否したことを示す拒否メッセージをＭＳＣに送信する。ＭＳＣは、このＭＳ／ＡＴについて全てのタイマＴ３１１３を停止する。
２１３：ＭＳ／ＡＴがアイドル状態に入ると、ＨＲＰＤ  ＰＣＦはＡ２１イベント通知メッセージをＩＷＳ−１ｘＢＳに送信し、ＡＴのパケットデータセッションが休止（アイドル）状態に移行したことを通知することができる。ＰＣＦはタイマＴａｃｋ−２１を起動する。
２１４：ステップ２１３で通知メッセージを受信した場合には、ＢＳはＡ２１確認応答メッセージをＰＣＦに送信する。ＰＣＦは確認応答メッセージを受信した後にタイマＴａｃｋ−２１を停止する。
【０００５】
上述した呼出フローでは、ＭＳ／ＡＴがＨＲＰＤシステムに含まれる場合に、ＨＲＰＤシステムの無線インタフェースを介して１ｘ音声ページングを１ｘシステムからデュアルモード端末に送信し、１ｘ  ＭＳＣに拒否メッセージをフィードバックする。
【０００６】
しかしながら、アイドル又は休止状態のＭＳ／ＡＴが位置するＡＮの境界では、他のＨＲＰＤ  ＡＮも存在する可能性がある。ＡＮの境界におけるＭＳ／ＡＴの移動によって、ピンポン作用（往復レジストレーション（ｒｅｃｉｐｒｏｃａｔｉｎｇ  ｒｅｇｉｓｔｒａｔｉｏｎ））が異なるＡＮ間で発生する可能性がある。ピンポン作用を効果的に抑制・減少させ、複数のＡＮ境界領域のページングメカニズムを改良し、ＭＳ／ＡＴのページング成功率を向上させるために、既存のＨＲＰＤの無線インタフェースは、１つのＡＮが他のＡＮサービスエリアでＭＳ／ＡＴをページングすることができるセカンダリカラーコード（Ｓｅｃｏｎｄａｒｙ  Ｃｏｌｏｒ  Ｃｏｄｅ）メカニズムを定義している。この技術はＨＲＰＤネットワークによるパケットデータサービスに適用されているが、ＨＲＰＤネットワークにおける１ｘ音声サービスページングの受け渡し（特に、ＨＲＰＤの複数のＡＮ境界領域にＭＳ／ＡＴが存在し、１ｘ音声サービスページングがＨＲＰＤネットワークにおいて受け渡され、携帯電話の利用者が１ｘサービスを拒否する場合）には適用されていない。この問題は現在のアクセスネットワーク技術では解決されていない。
【発明の概要】
【発明が解決しようとする課題】
【０００７】
本発明が解決しようとする技術的課題は、ＳＣ／ＭＭがＰＣＦに設けられ、ＨＲＰＤシステムが１ｘ音声ページングサービスを受け渡す場合に、アイドル又は休止状態のＭＳ／ＡＴが、ＨＲＰＤの複数のＡＮ境界領域において１ｘネットワークからのサービスページングを効果的に受け付け、ユーザーの選択によって１ｘサービスを拒否することを可能とし、ＨＲＰＤネットワークと１ｘネットワークの相互運用性を向上させることにある。
【課題を解決するための手段】
【０００８】
本発明は以下の技術的解決手段を提供する。
【０００９】
ＩＷＳがＨＲＰＤ  ＰＣＦ内に設けられている場合にＨＲＰＤにおいて受け渡される１ｘページングを拒否するための方法であって、
ａ．１ｘネットワークのＭＳＣがページング要求メッセージをＨＲＰＤのソースＰＣＦ及びソースＡＮのページングエリア内のＭＳ／ＡＴがアクセスし得る１以上の１ｘＢＳに送信するステップと、
ｂ．前記ソースＰＣＦがＡ１４−１ｘサービスページングメッセージを前記ソースＡＮに送信し、前記ソースＡＮから返信されたＡ１４−１ｘサービスページング確認応答メッセージを受信するステップと、
ｃ．前記ソースＰＣＦがＡ１３ページング要求メッセージをターゲットＰＣＦに送信し、前記ターゲットＰＣＦから返信されたＡ１３ページング応答メッセージを受信するステップと、
ｄ．前記ターゲットＰＣＦがＡ１４−１ｘサービスページングメッセージをターゲットＡＮに送信し、前記ターゲットＡＮから返信された確認応答メッセージを受信するステップと、
ｅ．前記ソースＡＮと前記ターゲットＡＮが前記ＭＳ／ＡＴにページングメッセージをそれぞれ送信するステップと、
ｆ．前記ＭＳ／ＡＴがリリースオーダーメッセージを前記ターゲットＡＮに送信し、前記ターゲットＡＮがＡ１４−１ｘサービス転送メッセージによって前記リリースオーダーメッセージを前記ターゲットＰＣＦに送信し、前記ターゲットＰＣＦが前記リリースオーダーを含むＡ１３−１ｘ無線インタフェース信号メッセージを前記ソースＰＣＦに送信し、前記ソースＰＣＦから返信された確認応答メッセージを受信するステップと、
ｇ．前記ソースＰＣＦが、前記１ｘサービスを拒否することを示す拒否メッセージを前記ＭＳＣに送信するステップと、を含む方法。
ステップｅは、ソースＡＮのページングメッセージがＭＳ／ＡＴに到達した場合に、ＭＳ／ＡＴがリリースオーダーを含むＡ１４−１ｘサービス転送メッセージをソースＰＣＦに送信し、ステップｇに移行することをさらに含む。
【００１０】
ソースＰＣＦは、ＨＲＰＤシステムにおいてＭＳ／ＡＴによって登録されたＰＣＦであり、登録はＰＣＦに接続されたＭＳＣにおいて更新される。ソースＡＮはソースＰＣＦに対応するＡＮである。ターゲットＰＣＦはソースＰＣＦの境界の他のＰＣＦである。ターゲットＡＮはターゲットＰＣＦに対応するＡＮである。
【００１１】
ステップｃにおいて、Ａ１３ページング要求メッセージは、ソースＰＣＦがターゲットＰＣＦにＭＳ／ＡＴのページングを支援することを要求する機能を満たす他のメッセージであってもよく、Ａ１３ページング応答メッセージも他の対応するメッセージであってもよい。
【００１２】
ステップｃにおいて、Ａ１３ページング要求メッセージは、ターゲットＡＮに必要なＨＲＰＤ端末の関連セッション情報を含み、ソースＡＮのページング送信に関する時間情報をさらに含むことができる。
【００１３】
ステップｆにおいて、Ａ１３−１ｘ無線インタフェース信号メッセージは、ターゲットＰＣＦが対応する１ｘ無線インタフェースメッセージをソースＰＣＦに転送する機能を満たす他のメッセージであってもよく、Ａ１３−１ｘ無線インタフェース信号確認応答メッセージも他の対応するメッセージであってもよい。
【００１４】
前記ターゲットＰＣＦはＨＲＰＤの１以上のＰＣＦである。
【００１５】
また、本発明は、ＩＷＳが１ｘＢＳ内に設けられている場合にＨＲＰＤにおいて受け渡される１ｘページングを拒否するための方法であって、
Ａ：ＭＳＣがページング要求メッセージをＩＷＳ−１ｘＢＳに送信するステップと、
Ｂ：前記ＩＷＳ−１ｘＢＳが１ｘ通常ページングメッセージでカプセル化されたＡ２１−１ｘ無線インタフェース信号メッセージをソースＰＣＦに送信し、前記ソースＰＣＦから返信された確認応答メッセージを受信するステップと、
Ｃ．前記ソースＰＣＦがＡ１４−１ｘサービスページングメッセージをソースＡＮに送信し、前記ソースＡＮから返信された確認応答メッセージを受信するステップと、
Ｄ．前記ソースＰＣＦがＡ１３ページング要求メッセージをターゲットＰＣＦに送信し、前記ターゲットＰＣＦから返信されたＡ１３ページング応答メッセージを受信するステップと、
Ｅ．前記ターゲットＰＣＦがＡ１４−１ｘサービスページングメッセージをターゲットＡＮに送信し、前記ターゲットＡＮから返信された確認応答メッセージを受信するステップと、
Ｆ．前記ソースＡＮと前記ターゲットＡＮがＭＳ／ＡＴに通常ページングメッセージをそれぞれ送信し、前記ＭＳ／ＡＴから返信された確認応答メッセージを受信するステップと、
Ｇ．前記ＭＳ／ＡＴがリリースオーダーを前記ターゲットＡＮに送信し、前記ターゲットＡＮがＡ１４−１ｘサービス転送メッセージによって前記リリースオーダーを前記ターゲットＰＣＦに転送するステップと、
Ｈ：前記ターゲットＰＣＦが前記リリースオーダーを含むＡ１３−１ｘ無線インタフェース信号メッセージを前記ソースＰＣＦに送信し、前記ソースＰＣＦから返信された確認応答メッセージを受信するステップと、
Ｉ：前記ソースＰＣＦが前記リリースオーダーを含むＡ２１−１ｘ無線インタフェース信号メッセージを前記１ｘＢＳに送信し、前記１ｘＢＳから返信された確認応答メッセージを受信するステップと、
Ｊ．前記１ｘＢＳが、前記１ｘサービスを拒否することを示す拒否メッセージを前記ＭＳＣに送信するステップと、を含む方法を提供する。
【００１６】
ステップＦは、ソースＡＮが確認応答メッセージを受信した場合に、ＭＳ／ＡＴがリリースオーダーをソースＡＮに送信し、ソースＡＮがリリースオーダーを含むＡ１４−１ｘサービス転送メッセージをソースＰＣＦに転送し、ステップＩに移行することをさらに含む。
【００１７】
ステップＤにおけるＡ１３ページング要求メッセージは、ソースＰＣＦがターゲットＰＣＦにＭＳ／ＡＴのページングを支援することを要求する機能を満たす他のメッセージであってもよく、Ａ１３ページング応答メッセージも他の対応するメッセージであってもよい。
【００１８】
ステップＨにおけるＡ１３−１ｘ無線インタフェース信号メッセージは、ターゲットＰＣＦが対応する１ｘ無線インタフェースメッセージをソースＰＣＦに転送する機能を満たす他のメッセージであってもよく、Ａ１３−１ｘ無線インタフェース信号確認応答
メッセージも他の対応するメッセージであってもよい。
ターゲットＰＣＦはＨＲＰＤの１以上のＰＣＦである。
【００１９】
本発明は以下の有益な効果を有する。
【００２０】
すなわち、本発明の方法によれば、複数のＡＮ境界にＭＳ／ＡＴが存在する場合に、１ｘネットワークからのサービスによってＨＲＰＤ無線インタフェース制御チャネルを通過するページングが受け付けられる可能性が高まり、ＨＲＰＤシステムのＭＳ／ＡＴに１ｘネットワークからのページングを正確かつタイムリーに受け渡すことができると共に１ｘサービスをユーザーの決定に応じて拒否することができ、デュアルネットワーク運用性が向上する。
【図面の簡単な説明】
【００２１】
【図１】図１は、従来技術におけるＨＲＰＤネットワークにおいて受け渡された１ｘページングを拒否する方法のフローチャートであり、ＨＲＰＤ  ＳＣ／ＭＭはＰＣＦに設けられ、ＩＷＳはＰＣＦに設けられている。
【図２】図２は、従来技術におけるＨＲＰＤネットワークにおいて受け渡された１ｘページングを拒否する方法のフローチャートであり、ＨＲＰＤ  ＳＣ／ＭＭはＰＣＦに設けられ、ＩＷＳは１ｘＢＳに設けられている。
【図３】図３は、セカンダリカラーコードの支援に基づくＨＲＰＤネットワークにおいて受け渡された１ｘページングを拒否する方法のフローチャートであり、ＨＲＰＤ  ＳＣ／ＭＭはＰＣＦに設けられ、ＩＷＳはＰＣＦに設けられている。
【図４】図４は、セカンダリカラーコードの支援に基づくＨＲＰＤネットワークにおいて受け渡された１ｘページングを拒否する方法のフローチャートであり、ＨＲＰＤ  ＳＣ／ＭＭはＰＣＦに設けられ、ＩＷＳは１ｘＢＳに設けられている。
【発明を実施するための形態】
【００２２】
図面における略語及び用語は以下の通りである。
（１）ＨＲＰＤ：Ｈｉｇｈ  Ｒａｔｅ  Ｐａｃｋｅｔ  Ｄａｔａ（高速パケットデータ）
（２）１ｘ：ＣＤＭＡ２０００単一搬送波ネットワーク（３Ｇ１ｘ又はＣＤＭＡ２０００  １ｘとも呼ばれる）
（３）ＭＳ／ＡＴ：ＨＲＰＤネットワークと３Ｇ１ｘネットワークで動作可能なデュアルモード端末。３Ｇ１ｘネットワークにおける端末はＭＳ（Ｍｏｂｉｌｅ  Ｓｔａｔｉｏｎ：移動機）と呼ばれ、ＨＲＰＤネットワークにおける端末はＡＴ（アクセス端末）と呼ばれる。
（４）ＨＲＰＤ  ＡＮ：アクセス端末との無線通信のための無線アクセスネットワークに統合された論理エンティティであるＨＲＰＤシステムのＡＮ（アクセスネットワーク）
（５）ＰＣＦ：パケット制御機能（Ｐａｃｋｅｔ  Ｃｏｎｔｒｏｌ  Ｆｕｎｃｔｉｏｎ）
（６）１ｘＢＳ：３Ｇ１ｘネットワークの通信基地局（ｂａｓｅ  ｓｔａｔｉｏｎ）
（７）ＭＳＣ：３Ｇ１ｘネットワークにおけるスイッチ
（８）ＩＷＳ：インターワーキングソリューション（Ｉｎｔｅｒｗｏｒｋｉｎｇ  Ｓｏｌｕｔｉｏｎ）
（９）ＩＷＳ−ＢＳ：ＢＳに設けられたＩＷＳ
（１０）Ｓｅｃｏｎｄａｒｙ  Ｃｏｌｏｒ  Ｃｏｄｅ：セカンダリカラーコード
（１１）Ａ２１：ＨＲＰＤのＡＮと１ｘＢＳとの間のインタフェースであるＡ２１インタフェース
（１２）Ａ１３：ＨＲＰＤのＡＮ間のインタフェースであるＡ１３インタフェース
（１３）Ａ１４：ＨＲＰＤ  ＡＮとＰＣＦとの間のインタフェースであるＡ１４インタフェース
（１４）ページング要求：ページング要求メッセージ
（１５）ＧＰＭ：通常ページングメッセージ
（１６）ＦＮ：特徴通知
（１７）ページング応答メッセージ
（１８）Ｃｏｍｐｌｅｔｅ  Ｌ３  Ｉｎｆｏ：完全なレイヤ３情報メッセージ
（１９）イベント通知：イベント通知メッセージ
（２０）イベント通知Ａｃｋ：イベント通知確認応答メッセージ
（２１）Ａ１３−１ｘ無線インタフェース信号Ａｃｋ：Ａ１３−１ｘ無線インタフェース信号確認応答メッセージ
（２２）Ａ１３−１ｘ無線インタフェース信号：Ａ１３−１ｘ無線インタフェース信号メッセージ
（２３）Ａ２１−１ｘ無線インタフェース信号：Ａ２１−１ｘ無線インタフェース信号メッセージ
（２４）Ａ２１−Ａｃｋ：Ａ２１インタフェース確認応答メッセージ
（２５）Ａ１４−１ｘサービスページ
（２６）Ａ１４−１ｘサービスページングＡｃｋ：Ａ１４−１ｘサービスページング確認応答
（２７）３Ｇ１ｘサービスパケット
（２８）３Ｇ１ｘサービスＡｃｋ：３Ｇ１ｘサービスパケット確認応答
（２９）Ａ１３ページング要求：Ａ１３ページング要求メッセージ
（３０）Ａ１３ページング応答：Ａ１３ページング応答メッセージ
（３１）Ａ１４−１ｘサービス転送：Ａ１４−１ｘサービス転送メッセージ
（３２）Ａ２１イベント通知：Ａ２１インターフェースイベント通知メッセージ
（３３）Ａ２１イベント通知Ａｃｋ：Ａ２１インターフェースイベント通知確認応答メッセージ
（３４）Ｔ３１１３、Ｔｅｖｅｎｔ、Ｔａｃｋ−２１、Ｔｐｒｅｑ−１３、Ｔ１ｘｓｑ−１４：対応するタイマ
【００２３】
以下、添付図面と好適な実施形態を参照して本発明についてさらに詳細に説明する。
本発明では、ＨＲＰＤネットワークにおいて１ｘ音声ページングサービスを受け渡すためにセカンダリカラーコードメカニズムを適用し、ＭＳ／ＡＴが登録されているＡＮが、携帯電話のページングに共に使用される隣接するＡＮにＡ１３ページング要求メッセージを送信する。
【００２４】
ＨＲＰＤシステムにおいてＭＳ／ＡＴによって登録され、登録がＰＣＦに接続されたＭＳＣにおいて更新されるＰＣＦがソースＰＣＦとして設定される。ソースＰＣＦに対応するＡＮがソースＡＮである。ソースＰＣＦの境界の他のＰＣＦがターゲットＰＣＦである。ターゲットＰＣＦに対応するＡＮがターゲットＡＮである。
【００２５】
ＩＷＳがＰＣＦに設けられている場合には、以下のステップが行われる。
ａ．１ｘネットワークのＭＳＣがページング要求メッセージをＨＲＰＤのソースＰＣＦ及びソースＡＮのページングエリア内のＭＳ／ＡＴがアクセスし得る１以上の１ｘＢＳに送信するステップ。
ｂ．ソースＰＣＦがＡ１４−１ｘサービスページングメッセージをソースＡＮに送信し、ソースＡＮから返信されたＡ１４−１ｘサービスページング確認応答メッセージを受信するステップ。
ｃ．ソースＰＣＦがＡ１３ページング要求メッセージをターゲットＰＣＦに送信し、ターゲットＰＣＦから返信されたＡ１３ページング応答メッセージを受信するステップ。
ｄ．ターゲットＰＣＦがＡ１４−１ｘサービスページングメッセージをターゲットＡＮに送信し、ターゲットＡＮから返信された確認応答メッセージを受信するステップ。
ｅ．ソースＡＮとターゲットＡＮがＭＳ／ＡＴにページングメッセージをそれぞれ送信するステップ。
ｆ．ＭＳ／ＡＴがリリースオーダーメッセージをターゲットＡＮに送信し、ターゲットＡＮがＡ１４−１ｘサービス転送メッセージによってリリースオーダーメッセージをターゲットＰＣＦに送信し、ターゲットＰＣＦがリリースオーダーを含むＡ１３−１ｘ無線インタフェース信号メッセージをソースＰＣＦに送信し、ソースＰＣＦから返信された確認応答メッセージを受信するステップ。
ｇ．ソースＰＣＦが、１ｘサービスを拒否することを示す拒否メッセージをＭＳＣに送信するステップ。
【００２６】
図３は、ＩＷＳがＰＣＦに設けられている場合の本発明の方法の詳細なシグナリング手順を示し、以下のステップが含まれる。
３０１：ＭＳＣは、サービスエリア内でＭＳ／ＡＴに対する着呼があったことを判断する。ＭＳＣはページング要求メッセージをＩＷＳ−ＰＣＦ及びＡＮページングエリア内のＭＳ／ＡＴがアクセスし得る１以上の１ｘＢＳに送信する。ＭＳＣは、送信した各ページング要求メッセージについてタイマＴ３１１３を起動する。ページング要求メッセージは、１ｘＢＳがＭＳ／ＡＴからページング応答メッセージを受信する準備を行うことが必要であることを示すＶＰＩ（仮想ページインジケータ）を含むことができる。
３０２：ＨＲＰＤのソースＰＣＦは通常ページングメッセージを含むＡ１４−１ｘサービスページングメッセージを送信し、タイマＴ１ｘｓｐ１４を起動する。ＭＳＣが発呼者情報を含む場合には、発呼者情報がＦＮによって搬送され、ＦＮと共に送信される。
３０３：ＨＲＰＤのソースＡＮはＡ１４−１ｘサービスページング確認応答メッセージをＰＣＦに送信し、タイマＴ１ｘｓｐ１４を停止する。
３０４：ソースＰＣＦは、ページングエリアがターゲットＡＮのいくつかのＲＴ（Ｒａｄｉｏ  Ｔｒａｎｓｃｅｉｖｅｒ（無線送受信機））もカバーすることが必要であると判断し、Ａ１３ページング要求メッセージをターゲットＰＣＦに送信し、タイマＴｐｒｅｑ−１３を起動する。Ａ１３ページング要求メッセージは、ＡＮがページングエリア等を判断するために必要なＡＴの関連セッション情報を含み、ソースＡＮのページング送信時間をさらに含むことができる。ターゲットＡＮ／ＰＣＦが同じタイムスロットでページングを送信することができる場合には、ＡＴがページングを逃す可能性が減少する。ターゲットＰＣＦは複数であってもよいが、本実施形態では１つのターゲットＰＣＦのみを示している。
３０５：ターゲットＰＣＦは、Ａ１３ページング応答メッセージをソースＰＣＦに送信する。ソースＰＣＦは、メッセージを受信した後に対応するタイマＴｐｒｅｑ−１３を停止する。
【００２７】
Ａ１３ページング要求メッセージは、ソースＰＣＦがターゲットＰＣＦにＭＳ／ＡＴのページングを支援することを要求する機能を満たす他のメッセージであってもよく、Ａ１３ページング応答メッセージも他の対応するメッセージであってもよい。
３０６：ＨＲＰＤのターゲットＰＣＦは通常ページングメッセージを含むＡ１４−１ｘサービスページングメッセージを送信し、タイマＴ１ｘｓｐ１４を起動する。発呼者情報を含む場合には、発呼者情報がＦＮによって搬送され、ＦＮと共に送信される。
３０７：ＨＲＰＤのターゲットＡＮはＡ１４−１ｘサービスページング確認応答メッセージをターゲットＰＣＦに送信し、タイマＴ１ｘｓｐ１４を停止する。
３０８：ＨＲＰＤのソースＡＮとターゲットＡＮは、無線制御チャネルを介して一般ページングメッセージをＭＳ／ＡＴに送信する。ソースＡＮのページングメッセージがＭＳ／ＡＴに到達した後の手順は図１に示す従来技術と同様である。
３０９：ＭＳ／ＡＴは１ｘサービスを拒否することを決定し、リリースオーダーをターゲットＡＮに送信する。
３１０：ターゲットＡＮは、Ａ１４−１ｘサービス転送メッセージによってリリースオーダーをターゲットＰＣＦに送信する。
３１１：ターゲットＰＣＦは、リリースオーダーを含むＡ１３−１ｘ無線インタフェース信号メッセージをソースＰＣＦに送信する。ターゲットＰＣＦはタイマＴｐｒｅｑ−１３を起動する。
３１２：ソースＰＣＦは、Ａ１３−１ｘ無線インタフェース信号確認応答メッセージをターゲットＰＣＦに送信する。ターゲットＰＣＦは、メッセージを受信した後にタイマＴｐｒｅｑ−１３を停止する。
【００２８】
Ａ１３−１ｘ無線インタフェース信号メッセージは、ターゲットＰＣＦが対応する１ｘ無線インタフェースメッセージ（本実施形態におけるリリースオーダー等）をソースＰＣＦに転送する機能を満たす他のメッセージであってもよく、Ａ１３−１ｘ無線インタフェース信号確認応答メッセージも他の対応するメッセージであってもよい。
３１３：ソースＰＣＦは、１ｘサービスを拒否することを示す拒否メッセージをＭＳＣに送信する。ＭＳＣは、このＭＳ／ＡＴについて全てのタイマＴ３１１３を停止する。
【００２９】
ＩＷＳが１ｘＢＳ内に設けられている場合には、以下のステップが行われる。
Ａ：ＭＳＣがページング要求メッセージをＩＷＳ−１ｘＢＳに送信するステップ。
Ｂ：ＩＷＳ−１ｘＢＳが１ｘ通常ページングメッセージでカプセル化されたＡ２１−１ｘ無線インタフェース信号メッセージをソースＰＣＦに送信し、ソースＰＣＦから返信された確認応答メッセージを受信するステップ。
Ｃ．ソースＰＣＦがＡ１４−１ｘサービスページングメッセージをソースＡＮに送信し、ソースＡＮから返信された確認応答メッセージを受信するステップ。
Ｄ．ソースＰＣＦがＡ１３ページング要求メッセージをターゲットＰＣＦに送信し、ターゲットＰＣＦから返信されたＡ１３ページング応答メッセージを受信するステップ。
Ｅ．ターゲットＰＣＦがＡ１４−１ｘサービスページングメッセージをターゲットＡＮに送信し、ターゲットＡＮから返信された確認応答メッセージを受信するステップ。
Ｆ．ソースＡＮとターゲットＡＮがＭＳ／ＡＴに通常ページングメッセージをそれぞれ送信し、ＭＳ／ＡＴから返信された確認応答メッセージを受信するステップ。
Ｇ．ＭＳ／ＡＴがリリースオーダーをターゲットＡＮに送信し、ターゲットＡＮがＡ１４−１ｘサービス転送メッセージによってリリースオーダーをターゲットＰＣＦに転送するステップ。
Ｈ：ターゲットＰＣＦがリリースオーダーを含むＡ１３−１ｘ無線インタフェース信号メッセージをソースＰＣＦに送信し、ソースＰＣＦから返信された確認応答メッセージを受信するステップ。
Ｉ：ソースＰＣＦがリリースオーダーを含むＡ２１−１ｘ無線インタフェース信号メッセージを１ｘＢＳに送信し、１ｘＢＳから返信された確認応答メッセージを受信するステップ。
Ｊ．１ｘＢＳが、１ｘサービスを拒否することを示す拒否メッセージをＭＳＣに送信するステップ。
【００３０】
図４は、ＩＷＳが１ｘＢＳ内に設けられている場合の本発明の方法の詳細な手順を示し、以下のステップが含まれる。
４０１：ＭＳＣは、サービスエリア内でＭＳ／ＡＴに対する着呼があったことを判断する。ＭＳＣはページング要求メッセージをＩＷＳ−１ｘＢに送信し、タイマＴ３１１３ｗを起動する。ページング要求メッセージは、１ｘＢＳがＭＳ／ＡＴからページング応答メッセージを受信する準備を行うことが必要であることを示すＶＰＩ（仮想ページインジケータ）を含むことができる。
４０２：ＩＷＳ−１ｘＢＳは１ｘ通常ページングメッセージを作成し、Ａ２１−１ｘ無線インタフェース信号メッセージとしてＨＲＰＤ  ＰＣＦに送信する。ＩＷＳ−１ｘＢＳはタイマＴａｃｋ２１を起動する。
４０３：ＨＲＰＤのソースＰＣＦは、Ａ２１インタフェース確認応答メッセージをＩＷＳ−１ｘＢＳに送信する。ＩＷＳ−１ｘＢＳはタイマＴａｃｋ２１を停止する。
４０４：ＨＲＰＤのソースＰＣＦは、通常ページングメッセージを含むＡ１４−１ｘサービスページングメッセージをＨＲＰＤのソースＡＮに送信し、タイマＴ１ｘｓｐ１４を起動する。
４０５：ＨＲＰＤのソースＡＮはＡ１４−１ｘサービスページング確認応答メッセージをＨＲＰＤのソースＰＣＦに送信する。ＨＲＰＤのソースＰＣＦはタイマＴ１ｘｓｐ１４を停止する。
４０６：ソースＰＣＦは、ページングエリアがターゲットＡＮのいくつかのＲＴもカバーすることが必要であると判断し、Ａ１３ページング要求メッセージをターゲットＰＣＦに送信し、タイマＴｐｒｅｑ−１３を起動する。Ａ１３ページング要求メッセージは、ＡＮがページングエリア等を判断するために必要なＡＴの関連セッション情報を含み、ソースＡＮのページング送信時間をさらに含むことができる。ソースＰＣＦが発呼者情報を有している場合には、メッセージは発呼者情報を含むことができる。ターゲットＡＮが同じタイムスロットでページングを送信することができる場合には、ＡＴがページングを逃す可能性が減少する。ソースＰＣＦは複数のターゲットＰＣＦにメッセージを送信することができる。
４０７：ターゲットＰＣＦは、Ａ１３ページング応答メッセージをソースＰＣＦに送信する。ソースＰＣＦは、メッセージを受信した後にタイマＴｐｒｅｑ−１３を停止する。
【００３１】
Ａ１３ページング要求メッセージは、ソースＰＣＦがターゲットＰＣＦにＭＳ／ＡＴのページングを支援することを要求する機能を満たす他のメッセージであってもよく、Ａ１３ページング応答メッセージも他の対応するメッセージであってもよい。
４０８：ＨＲＰＤのターゲットＰＣＦは、通常ページングメッセージを含むＡ１４−１ｘサービスページングメッセージをＨＲＰＤのターゲットＡＮに送信し、タイマＴ１ｘｓｐ１４を起動する。発呼者情報がある場合には、発呼者情報がＦＮによって搬送され、ＦＮと共に送信される。
４０９：ＨＲＰＤのターゲットＡＮはＡ１４−１ｘサービスページング確認応答メッセージをＨＲＰＤのターゲットＰＣＦに送信する。ＨＲＰＤのターゲットＰＣＦはタイマＴ１ｘｓｐ１４を停止する。
４１０：ＨＲＰＤのソースＡＮとターゲットＡＮは、一般ページングメッセージをそれぞれＭＳ／ＡＴに送信する。ソースＡＮのページングメッセージがＭＳ／ＡＴに到達した後の手順は図２に示す従来技術と同様である。
４１１：ＭＳ／ＡＴは、１ｘページングメッセージを受信したことをターゲットＡＮに通知する。
４１２：ＭＳ／ＡＴは１ｘサービスを拒否することを決定し、リリースオーダーをターゲットＡＮに送信する。
４１３：ターゲットＡＮは、Ａ１４−１ｘサービス転送メッセージによってリリースオーダーをターゲットＰＣＦに送信する。
４１４：ターゲットＰＣＦは、リリースオーダーを含むＡ１３−１ｘ無線インタフェース信号メッセージをソースＰＣＦに送信する。ターゲットＰＣＦはタイマＴｐｒｅｑ−１３を起動する。
４１５：ソースＰＣＦは、Ａ１３−１ｘ無線インタフェース信号確認応答メッセージをターゲットＰＣＦに送信する。ターゲットＰＣＦは、メッセージを受信した後にタイマＴｐｒｅｑ−１３を停止する。
【００３２】
Ａ１３−１ｘ無線インタフェース信号メッセージは、ターゲットＰＣＦが対応する１ｘ無線インタフェースメッセージ（本実施形態におけるリリースオーダー等）をソースＰＣＦに転送する機能を満たす他のメッセージであってもよく、Ａ１３−１ｘ無線インタフェース信号確認応答メッセージも他の対応するメッセージであってもよい。
４１６：ＨＲＰＤのソースＰＣＦは、リリースオーダーを含むＡ２１−１ｘ無線インタフェース信号メッセージを１ｘＢＳに送信し、タイマＴａｃｋ−２１を起動する。
４１７：１ｘＢＳはＡ２１インタフェース確認応答メッセージをＨＲＰＤ  ＡＮに送信する。
４１８：１ｘＢＳは、１ｘサービスを拒否することを示す拒否メッセージをＭＳＣに送信する。ＭＳＣは、このＭＳ／ＡＴについて全てのタイマＴ３１１３を停止する。
【００３３】
以上、実施形態を参照して本発明について説明したが、本発明は上記実施形態に限定されるものではない。当業者は、本発明に対して様々な変更を加えることができることを理解されたい。また、本発明の範囲から逸脱しないあらゆる変形、均等物又は改良も本発明の範囲に含まれる。
【図１】
2010516127.tif 000003
【図２】
2010516127.tif 000004
【図３】
2010516127.tif 000005
【図４】
2010516127.tif 000006
【国際調査報告】
2010516127.tif 000007
2010516127.tif 000008
2010516127.tif 000009
2010516127.tif 000010